(57)【要約】【課題】スーツ着用時において、身体の大きく変動する関節部の肩部及び肘部並びに膝部の皮膚表皮に接触するスーツの当該部分の伸縮性を付与することにより、着心地が極めて良好であると共に、特に、大きな動作や屈伸運動などの場面で抵抗感や摩擦によって動きにくい窮屈さを感じさせることなく肌に馴染んで快適で安心して活動できるようにした着心地と活動に好適なファッション性に優れたスーツを得る。【解決手段】上着とスラックスとから構成されるスーツにおいて、身体の大きく変動する関節部の肩部及び肘部並びに膝部の皮膚表皮に接触するスーツの当該部分に伸縮性を有する伸縮生地の裏地を縫着して構成される。【選択図】図３
0003155704.tif 000002
【実用新案登録請求の範囲】
【請求項１】
上着とスラックスとから構成されるスーツにおいて、身体の大きく変動する関節部の肩部及び肘部並びに膝部の皮膚表皮に接触するスーツの当該部分に伸縮性を有する伸縮生地の裏地を縫着したことを特徴とする着心地と活動に好適なファッション性に優れたスーツ
。
【請求項２】
前記伸縮生地は、ポリエステルニット、ナイロンニット、ポリウレタン又はそれらの二種以上を組み合わせた混紡である請求項１記載の着心地と活動に好適なファッション性に優れたスーツ。
【考案の詳細な説明】
【技術分野】
【０００１】
本考案は、スーツ着用時において、着心地が頗る良好で動作するときにも快適で安心して活動できるようにした着心地と活動に好適なファッション性に優れたスーツに関する。
【背景技術】
【０００２】
従来、スーツは、基本的に表地と、必要により裏当てされる裏地とからなる上着とスラックス（ズボン）とから構成されるのが普通である。
【０００３】
上記のような普通のスーツは、着用後の静的な動作のときには特別な違和感はないが、運動や活動的な動作をするときには、身体の関節部である肩部及び肘部並びに膝部の収縮する皮膚表皮が、上着の肩部及び肘部並びにスラックスの膝部にそれぞれ対応する表地又は裏地に対して擦れるので、身体のその動きに対する抵抗感や摩擦によって窮屈な違和感を与え、特に、汗ばんだときには、当該皮膚表皮がそれに対応する表地又は裏地に対して濡れて張り付く度合いが一層高まるために、その違和感は可成り大きくなる。
【０００４】
そこで、それらの課題を克服するものとして、身体の動きに関連する個所に、特開平９−３１０２１３公報に示すようなマチを取り付けたり、特開２００６−７７３４４公報に示すようなプリーツを形成する手段が提案されている。
【０００５】
上記の手段はいずれも、身体の動きに沿って突っ張る個所が広く開放されるようにしたものであるが、それらのマチやプリーツの介在のためにスーツ全体のラインを必然的に損ねてファッション性に欠ける難点があった。
【先行技術文献】
【特許文献】
【０００６】
【特許文献１】特開平９−３１０２１３公報
【特許文献２】特開２００６−７７３４４公報
【考案の概要】
【考案が解決しようとする課題】
【０００７】
本考案は、上記の如き観点に鑑みてなされたものであって、スーツ着用時において、身体の大きく変動する関節部の肩部及び肘部並びに膝部の皮膚表皮に接触するスーツの当該部分の伸縮性を付与することにより、着心地が極めて良好であると共に、特に、大きな動作や屈伸運動などの場面で抵抗感や摩擦によって動きにくい窮屈さを感じさせることなく肌に馴染んで快適で安心して伸び伸びと活動できるようにしたことと相俟ってスーツ全体のラインを損ねることのない優れた着心地と活動に好適なファッション性に優れたスーツを得ようとするものである。
【課題を解決するための手段】
【０００８】
本考案は以上の如き観点に鑑みてなされたものであって、その主たる構成は、上着とスラックスとから構成されるスーツにおいて、身体の大きく変動する関節部の肩部及び肘部並びに膝部の皮膚表皮に接触するスーツの当該部分に伸縮性を有する伸縮生地の裏地を縫着した着心地と活動に好適なファッション性に優れたスーツを提供しようとするものである。
【０００９】
そして、前記伸縮生地は、ポリエステルニット、ナイロンニット、ポリウレタン又はそれらの二種以上を組み合わせた混紡である着心地と活動に好適なファッション性に優れたスーツを提供しようとするものである。
【考案の効果】
【００１０】
本考案に係る着心地と活動に好適なファッション性に優れたスーツは以下のような効果を有する。
（１）スーツ着用時において、身体の大きく変動する関節部の肩部及び肘部並びに膝部の
皮膚表皮に接触するスーツの当該部分に伸縮性が付与されているので、普通の歩行時においても着心地が極めて良好である。
（２）大きな動作や屈伸運動などの場面で抵抗感や摩擦によって動きにくい窮屈さを感じさせることなく肌に馴染んで快適で安心して伸び伸びと活動できる。
（３）特に、汗ばんだとき、関節部の肩部及び肘部並びに膝部の皮膚表皮が接触して張り付く表地又は裏地は伸縮するから、それらの関節部の動きに追随して伸び縮みして抵抗感や動きにくい窮屈さを感じさせることがない。
（４）身体の大きく変動する関節部の肩部及び肘部並びに膝部の皮膚表皮に接触するスーツの当該部分に伸縮性を有する伸縮生地の裏地を縫着するものであるので、スーツ全体の良好なラインを生かした形態が可能であるから、ファッション性に優れたデザインを表出することができる。
【図面の簡単な説明】
【００１１】
【図１】本考案一実施例のスーツを構成する上着とスラックスを示す概略図である。
【図２】本考案一実施例のスーツ上着の袖パーツを示す概略図である。
【図３】本考案一実施例のスーツ上着のアームホールと袖パーツとの縫製において結合される伸縮生地パーツを付着した裏地を示す概略図である。
【図４】本考案一実施例のスーツ上着の肘部分を示す概略図である。
【図５】本考案一実施例のスーツ上着の肘部分に結合される伸縮生地パーツを付着した裏地を示す概略図である。
【図６】本考案一実施例のスーツのスラックスの膝部に結合される伸縮生地パーツを付着した裏地を示す概略図である。
【考案を実施するための形態】
【００１２】
以下、本考案の具体的な一実施例を図面を参照しながら説明する。
スーツ上着１の身頃２のアームホール３と袖（上腕部）パーツ４との縫製において、ポリエステルニット、ナイロンニット、ポリウレタン又はそれらの二種以上を組み合わせた混紡を含む伸縮生地パーツ６を内側に使用し、胴裏地７とともに縫合する。
【００１３】
それを更に詳細に説明すれば、上着１の身頃２のアームホール３部分に袖パーツ４の上腕肩部分５を縫い合わせ、該上腕肩部分５の内側に伸縮生地パーツ６と胴裏地７の袖部分８を結合させる。
【００１４】
次に、前記袖部分８の内側の肘部分９に、裏地１０との縫製においてポリエステルニット、ナイロンニット、ポリウレタン又はそれらの二種以上を組み合わせた混紡を含む伸縮生地パーツ１１を結合させる。
【００１５】
そして、スラックス１２の膝部分１３の内側に、裏地１４との縫製においてポリエステルニット、ナイロンニット、ポリウレタン又はそれらの二種以上を組み合わせた混紡を含む伸縮生地パーツ１５を結合させる。
【符号の説明】
【００１６】
１  上着
２  身頃
３  アームホール
４  袖パーツ
５  上腕肩部分
６  伸縮生地パーツ
７  胴裏地
８  袖部分
９  肘部分
１０  裏地
１１  伸縮生地パーツ
１２  スラックス
１３  膝部分
１４  裏地
１５  伸縮生地パーツ
【図１】
0003155704.tif 000003
【図２】
0003155704.tif 000004
【図３】
0003155704.tif 000005
【図４】
0003155704.tif 000006
【図５】
0003155704.tif 000007
【図６】
0003155704.tif 000008